Podtech/llm-jp-corpus-v4-ja_patent huggingface dataset:
(57)【要約】【課題】  感染や陰部裂傷を抑えつつも、経血を背側に漏らさない経血ストッパーを提供する。【解決手段】  外陰部と肛門の間に留置する経血ストッパーに、固定用の紐とテープを設けた構造と特徴とする。【選択図】図１
2019155036.tif 000002
【特許請求の範囲】
【請求項１】
経血の背側漏れを防ぐ経血ストッパー。
【発明の詳細な説明】
【技術分野】
【０００１】  この発明は、月経時に生じる陰部からの出血を後方に漏らさないための経血ストッパーに関するものである。
【背景技術】
【０００２】  従来、月経時、生理用ナプキンかタンポンを使用していた。
【先行技術文献】
【０００３】
【特許文献１】特開平１０−２３４７７７
【発明の概要】
【発明が解決しようとする課題】
【０００４】  これには次のような欠点があった。
（イ）従来、月経時、生理用ナプキンを使用した場合、外陰唇から肛門にかけての隙間から経血が漏れ、背側に到達し、衣服や床を汚す可能性が高かった。
（ロ）月経時、タンポンを使用した場合、感染症や陰部裂傷といった生体への悪影響が懸念されてきた。
本発明は、以上のような欠点をなくするためになされたものである。
【課題を解決するための手段】
【０００５】  外陰唇と肛門との間の隙間に留置する、固形化した吸水性ストッパーを作成した。
形状は、皮下脂肪組織と左右の大殿筋、座骨の形状に合わせて作成した。
長軸は卵型であるが、横断面は楕円形となっており、その曲率半径は弊社独自のデータに基づき形状設定した。
本発明は、以上の構造よりなる経血ストッパーである。
【発明の効果】
【０００６】  （イ）月経時に衣服や床を汚す危険性が低下する。
（ロ）タンポンの使用に比べて、感染症の危険を低減できる。
（ハ）任意の位置に固定ができる。
【図面の簡単な説明】
【０００７】
【図１】  本発明の外観図である。
【図２】  本発明の冠状断面図である。
【図３】  本発明の横断面図である。
【発明を実施するための形態】
【０００８】  以下、本発明を実施するための最良の形態について説明する。横断面において、長径を左右方向としに、短径を前後方向になるように装着する。本発明は、以上のような構造である。これを使用するときは、大陰唇と肛門との間に上記の経血ストッパー（１）を挟み込むように留置させる。生理用ナプキンは、そのまま使用しても差し支えない。本経血ストッパーは、吸水性素材を用いているため、流れ込んできた経血を十分に吸収しゲル状に固まるため、経血ストッパーは陰部に圧着され、位置は保持され、経血の背部への漏れを抑えることができる。さらに経血ストッパー（１）には紐（２）と粘着テープ（３）が装備されており、任意の位置に皮膚固定ができるため、圧着固定だけで不十分な場合は、テープ固定も可能である。さらに血液の付着した経血ストッパーを廃棄する際、紐を持つと、直接手に血液が付着しないため、手を汚さずに廃棄ができる。
【符号の説明】
【０００９】１  経血ストッパー
２  紐
３  粘着テープ
【図１】
2019155036.tif 000003
【図２】
2019155036.tif 000004
【図３】
2019155036.tif 000005
(57)【要約】【課題】  本発明は、短下肢装具（靴）を一層歩きやすくし、爽快な使用感を実現するとともに、障害のある人が積極的に使用して外出しようとする意欲をかきたてることを目指している。【解決手段】  この問題を解決するために、第１の課題解決手段は、土踏まずの部分の靴底をえぐることにより、靴底がしなって歩行しやすくなるようにすることである。  第２の課題可決手段は、取り外しのできるインソールの土踏まずの部分にカーブをつけ、歩く機会が少ないために足のアーチ型が保てなくなっている人の歩行を助けるものである。  第３の課題解決手段は、靴のアッパー（甲革）に軽くて柔らかく、履き心地と発色のよいオーストラリア産のカンガルー革を使用し、歩きやすさとおしゃれなデザインを実現することである。【選択図】図１
2019155037.tif 000002
【特許請求の範囲】
【請求項１】
靴底がしなって歩行しやすくなるように、土踏まずの部分の靴底をえぐることにより、可動性を高める。
【請求項２】
取り外しのできるインソールの土踏まずの部分にカーブをつけ、歩く機会が少ないために足のアーチ型が保てなくなっている人の歩行を助けるものである。
【請求項３】
靴のアッパー（甲革）に軽くて柔らかく、履き心地と発色のよいオーストラリア産のカンガール革を使用し、歩きやすさとおしゃれなデザインを実現することである。
【発明の詳細な説明】
【技術分野】
【０００１】本発明は、足に障害がある人をより歩きやすくするための短下肢装具（靴）に関する。
【背景技術】
【０００２】  従来の短下肢装具（靴）は、靴底がつま先からかかとの部分までほとんど平らであるため、足を地面（床面）から十分に持ち上げて歩くことが難しい障害者は、かかとの部分の部分が地面（床面）に引っかかって歩きにくかった。
【発明の概要】
【発明が解決しようとする課題】
【０００３】本発明は、短下肢装具（靴）を一層あるきやすくし、爽快な使用感を実現するとともに、障害のある人が積極的に使用して外出しようとする意欲をかきたてることを目指している。
【課題を解決するための手段】
【０００４】  第一の課題解決手段は、土踏まずの部分の靴底をえぐることにより、靴底がしなって歩行しやすくなるようにすることである。【０００５】  第２の課題解決手段は、取り外しのできるインソールの土踏まずの部分にカーブをつけ、歩く機会が少ないために足のアーチ型が保てなくなっている人の歩行を助けるものである。【０００７】  第３の課題解決手段は、靴のアッパー（甲革）に軽くて柔らかく、履き心地と発色のよいオーストラリア産のカンガルー革を使用し、歩きやすさとおしゃれなデザインを実現することである。
【発明の効果】
【０００８】  上述したように、本発明の短下肢装具（靴）は、障害がある人の歩行を助け、室内にとじこもりがちな人たちが積極的に外に出ようとする意欲をかきたてることができる。【０００９】材料の件
・アッパー（甲革）には軽くて柔らかく、履き心地とよいオートストラリア産のカンガルー革を使用する。
【発明を実施するための形態】
【００１０】  以下、本発明の実施の形態を図１〜図３に基づいて説明する。
【００１１】  図１においては、土踏まず部分にカーブを描くようにえぐりを入れて靴底が弾力性をもってしなるようにする。
アッパー（甲革）にはオーストラリア産のカンガルーの革を使用する。
【００１２】  図２は、インソールの平面図で、土踏まず部分のふくらみを示す。
【００１３】  図３は、インソールを縦に切った断面図で、土踏まずの部分を盛り上げて足のアーチ型を保てるようにする。
【産業上の利用可能性】  本発明は障害のある人の社会参加や社会進出を積極的に支援するものであり、円滑な歩行に役立つだけでなく、障害のある人のおしゃれ心を満たし、補装具にデザイン性をもたせる意味で産業上の発展に寄与するものと考える。
【図１】
2019155037.tif 000003
【図２】
2019155037.tif 000004
【図３】
2019155037.tif 000005
【図４】
2019155037.tif 000006
【手続補正書】
【提出日】平成30年5月10日(2018.5.10)
【手続補正１】
【補正対象書類名】明細書
【補正対象項目名】全文
【補正方法】変更
【補正の内容】
【発明の詳細な説明】
【技術分野】
【０００１】本発明は、足に障害がある人をより歩きやすくするための短下肢装具（靴）に関する。
【背景技術】
【０００２】  従来の短下肢装具（靴）は、靴底がつま先からかかとの部分までほとんど平らであるため、足を地面（床面）から十分に持ち上げて歩くことが難しい障害者は、かかとの部分の部分が地面（床面）に引っかかって歩きにくかった。
【発明の概要】
【発明が解決しようとする課題】
【０００３】本発明は、短下肢装具（靴）を一層あるきやすくし、爽快な使用感を実現するとともに、障害のある人が積極的に使用して外出しようとする意欲をかきたてることを目指している。
【課題を解決するための手段】
【０００４】  第一の課題解決手段は、土踏まずの部分の靴底をえぐることにより、靴底がしなって歩行しやすくなるようにすることである。【０００５】  第２の課題解決手段は、取り外しのできるインソールの土踏まずの部分にカーブをつけ、歩く機会が少ないために足のアーチ型が保てなくなっている人の歩行を助けるものである。【０００７】  第３の課題解決手段は、靴のアッパー（甲革）に軽くて柔らかく、履き心地と発色のよいオーストラリア産のカンガルー革を使用し、歩きやすさとおしゃれなデザインを実現することである。
【発明の効果】
【０００８】  上述したように、本発明の短下肢装具（靴）は、障害がある人の歩行を助け、室内にとじこもりがちな人たちが積極的に外に出ようとする意欲をかきたてることができる。【０００９】材料の件
・アッパー（甲革）には軽くて柔らかく、履き心地とよいオートストラリア産のカンガルー革を使用する。
【発明を実施するための形態】
【００１０】  以下、本発明の実施の形態を図１〜図３に基づいて説明する。
【００１１】  図１においては、土踏まず部分にカーブを描くようにえぐりを入れて靴底が弾力性をもってしなるようにする。
アッパー（甲革）にはオーストラリア産のカンガルーの革を使用する。
【００１２】  図２は、インソールの平面図で、土踏まず部分のふくらみを示す。
【００１３】  図３は、インソールを縦に切った断面図で、土踏まずの部分を盛り上げて足のアーチ型を保てるようにする。
【図面の簡単な説明】
【００１４】
【図１】短下肢装具（靴部分）の側面図
【図２】インソールの平面図
【図３】インソールの長軸断面図
【図４】短下肢装具全体側面図
【産業上の利用可能性】  本発明は障害のある人の社会参加や社会進出を積極的に支援するものであり、円滑な歩行に役立つだけでなく、障害のある人のおしゃれ心を満たし、補装具にデザイン性をもたせる意味で産業上の発展に寄与するものと考える。
(57)【要約】【課題】    握力グッズ本体全面に突起を配置してある物は、長時間使用すると手の平の皮膚の薄い箇所が摩れて痛くなることがある。  又、握力グッズ本体全面が平坦面である物は、突起がないので、握力のみでツボ刺激は出来ない。【解決手段】    握力グッズ（１）の一側半球面は平坦面（２）とし、他側半球面には複数の突起（３）を配置している構成になっている。【選択図】図１
2019155040.tif 000002
【特許請求の範囲】
【請求項１】
弾性材からなる球体で、一側半球面は平坦面とし、他側半球面には複数の突起が配置してある握力グッツ。
【発明の詳細な説明】
【技術分野】
【０００１】  本発明は、握力グッズ本体が、弾性材からなる球体で、一側半球面は平坦面とし、他側半球面には複数の突起が配置してある握力グッツに関する。
【背景技術】
【０００２】  握力を鍛えるグッツとして、手に握って使う球状の物、リング状の物、金属のリングのＶ字状の物などが一般的である。又、握力を鍛えると同時に手の平のツボを刺激することが可能な突起を表面全体に配置してある物が一般的である。
【発明の概要】
【発明が解決しようとする課題】
【０００３】  上記の従来技術には、以下の欠点や問題点がある。
○  握力グッツ本体全面に突起を配置してある物は、長時間使用すると手の平の皮膚の薄い箇所が摩れて痛くなる事がある。
○  握力グッズ本体全面が平坦面である物は、突起がないので、握力のみでツボ刺激は出来ない。【０００４】  本発明は、このような従来技術の欠点や問題点に鑑み発明されたもので、握力グッズの一側半球面を平坦面とし、他側半球面には複数の突起を配置することにより、皮膚の薄い箇所に平坦面部分を当てて使用することにより、長時間使用しても突起による摩れで皮膚を痛めることが無くなる。
又、握力グッズ全体に突起の無い物と突起のある物を交互に持ち変えて使用することが無くなり、握力とツボ刺激の両方を一つの握力グッズで満たすことができると言う握力グッズを提供する。
【課題を解決するための手段】
【０００５】  上記の目的を達成するために構成した本発明の手段は、弾性材からなる球体で、一側半球面とし、他側半球面には複数の突起が配置してある握力グッツ。
【発明の効果】
【０００６】○  本発明の握力グッズは、弾性材からなる球体で、一側半球面は平坦面で、他側半球面は複数の突起が配置してあるので、手の平の皮膚の薄い箇所に半球面の平坦面を当てて使用することにより、長時間使用しても皮膚が痛くなることが無くなる。
【図面の簡単な説明】
【０００７】
【図１】握力グッズの全体図である。
【図２】握力グッズを片手で握っている状況図である。
【発明を実施する為の形態】
【０００８】  以下、本発明の実施の形態について、図を参照して説明する。
【０００９】  本実施の形態による握力グッツ（１）は、弾性材からなる球体で、一側半球面は平坦面（２）とし、他側半球面には複数の突起（３）が配置してある。
【符号の説明】
【００１０】  １、握力グッズ。
２、一側半球の平坦面。
３、他側半球面に配置されている複数の突起。
【図１】
2019155040.tif 000003
【図２】
2019155040.tif 000004
(57)【要約】      （修正有）【課題】体のバランスをとったり推進力としたり、体重を支えたりの目的用途次第で、適切なグリップ形態の杖を選定をする、Ｔ字型とストレート型の切り替え可能グリップの杖を提供する。【解決手段】シャフト１にボルト３を、先端１０ミリ程出して埋め込み、グリップ２に二か所ナット５を埋め込み、ボルト３をナット５へ、ねじ込むことよって、グリップ２を位置決め固定する。Ｔ字型グリップにしてもストレートグリップにしても、切り替えを可能にして、利便性の向上と安全性の向上を図る。【選択図】図１
2019155035.tif 000002
【特許請求の範囲】
【請求項１】
杖のシャフトに対して、グリップの取り付け位置を変更可能にする。
【発明の詳細な説明】
【技術分野】
【０００１】本発明はＴ字型、ストレート型、切り替え可能グリップ杖である。
【発明の概要】
【発明が解決しようとする課題】
【０００２】グリップ形態による歩行路面状況への、適応使い勝手不便さの解消。【０００３】登り道や階段では、ストレートグリップで体のバランスを取り、推進力とするのが楽で、下りでは体重を支える為にＴ字グリップが使いやすく、両方の利点を兼ね備えるために切り替え可能グリップとした。
【発明の効果】
【０００４】状況に対応して適切な切り替えができる為、体への負担を軽減し、安全性をはかる。
【図面の簡単な説明】
【０００５】
【図１】Ｔ字型グリップ断面図
【図２】ストレート型グリップ断面図
【発明を実地するための形態】
【０００６】シャフトにボルトを、先端１０ミリ程出して埋め込み、グリップに二か所ナットを埋め込み、ボルトをナットへ、ねじ込むことよって、グリップを位置決め固定する。
【０００７】１    シャフト
２    グリップ
３    ボルト
４    ストレート用ナット
５    Ｔ字用ナット
【図１】
2019155035.tif 000003
【図２】
2019155035.tif 000004
(57)【要約】【課題】  まな板の板面が調理台に接触しない板面接触防止まな板を提供する。【解決手段】  まな板に浮かせ手段を設ける。【選択図】図１
2019155038.tif 000002
【特許請求の範囲】
【請求項１】
まな板に浮かせ手段を設けた板面接触防止まな板。
【請求項２】
前記浮かせ手段に滑り止め手段を設けた請求項１記載の板面接触防止まな板。
【請求項３】
前記浮かせ手段の近傍に開口部を設けた請求項１、２記載の板面接触防止まな板。
【発明の詳細な説明】
【技術分野】
【０００１】  本発明は、まな板の板面が調理台等に直接接触しないで、調理台との間に透き間を有して置かれる板面接触防止まな板である。
【背景技術】
【０００２】  従来、まな板で野菜等の食材を切ったりする時は、まな板を調理台等の上に置いて作業していた。
【発明の概要】
【発明が解決しようとする課題】
【０００３】  これには次のような欠点があった。
まな板の使っている方とは反対の面が調理台に直接接しているので、すぐに反対面を使いたい時に不衛生であったため、一々洗わなければならず面倒であった。
反対面を使う時に、先に使っていた面に切った食材のかすが残っていたりすると、裏返した時に調理台にかすが付いたりして不衛生な上、調理台を汚してしまうので一々洗ってから裏返していたので手間が掛かって面倒であった。
本発明は、以上の問題点を解決するためになされたものである。
【課題を解決するための手段】
【０００４】  まな板の端部または隅部等に凹凸または突起等の、板面を浮かせるための浮かせ手段を設ける。
前記浮かせ手段に滑り止め手段を設ける。
前記浮かせ手段の近傍に開口部を設ける。
本発明は、以上を特徴とする板面接触防止まな板である。
【発明の効果】
【０００５】  まな板の板面が調理台等に直接接触しないので衛生的なので、反対面を一々洗わなくてもすぐに使えるため、忙しい調理作業の時短になり便利である。
また、先に使った面に切った食材のかす等が付いたままで裏返しても調理台等に直接触れることがないため衛生的な上、調理台を汚す心配もないので、洗う手間が省けて楽である。
【図面の簡単な説明】
【０００６】
【図１】  本発明の実施例１の正面図
【図２】  実施例１の側面図
【図３】  実施例１の平面図
【図４】  本発明の実施例２の正面図
【図５】  実施例２の平面図
【図６】  本発明の実施例３の平面図
【図７】  実施例３の正面図
【図８】  本発明の実施例４の平面図
【図９】  実施例４の正面図
【図１０】  本発明の実施例５の平面図
【図１１】  実施例５の正面図
【図１２】  実施例５を調理台に立てた時の正面図
【図１３】  本発明の実施例６の平面図
【図１４】  本発明の実施例７の平面図
【発明を実施するための形態】
【０００７】  以下、本発明の幾つかの実施の形態を図１〜図１４に基づいて説明する。
【実施例１】
【０００８】  図１〜図３において、まな板１の板面２の両面の長手方向の左右両端に、板面２が調理台等に直接接触しないように浮かせるための浮かせ手段３として、なだらかな山谷形の凹凸が一体に設けられている。【０００９】  浮かせ手段３が、まな板１の板面２と調理台等が直接接触しないように透き間を作るため清潔な上、裏返してすぐに反対面を使えるので手早く作業ができる。
板面２にたまった水分等は、浮かせ手段３の凹凸の谷形部分からも流れ出て行くので支障なく水がはける。
【実施例２】
【００１０】  図４、図５において、まな板１の板面２の両面の四隅に、浮かせ手段３として突起が設けられている。
【実施例３】
【００１１】  図６、図７において、まな板１の板面２の両面の左右に、浮かせ手段３としてエンボス状の複数の突起が設けられている。
【実施例４】
【００１２】  図８、図９において、まな板１の板面２の四隅に出っ張って、浮かせ手段３が設けられている。
浮かせ手段３は、板面２の両面のそれぞれの表面より出っ張っており、板面２と調理台等との間に透き間ができるようになっている。
【実施例５】
【００１３】  図１０〜図１２において、まな板１の板面２の四隅に出っ張って、短い棒状の浮かせ手段３が設けられており、浮かせ手段３は板面２の両面のそれぞれの表面より出っ張って設けられている。
浮かせ手段３には、食材を切ったりする時にまな板１がずれないように、ゴム等の滑り止め手段４が固着されている。【００１４】  まな板１を使わない時は、浮かせ手段３で立てて置くこともでき、立てた時にも浮かせ手段３が板面２と調理台６との間に透き間を作るので衛生的に乾燥できる。
【実施例６】
【００１５】  図１３において、実施例３のものの、板面２の浮かせ手段３の片横に、切った食材を板面２から直接なべ等に落とし入れる際に、浮かせ手段３が邪魔にならないで食材が落とせるように開口部５を設けたものである。
【実施例７】
【００１６】  図１４において、実施例５のものの、浮かせ手段３の近傍片内側に開口部５を設けたものである。【００１７】  以上、幾つかの実施例を説明したが上記実施例に限らず、浮かせ手段の形状や数や位置等はどのようなものでもよく、浮かせ手段自体を滑り止め効果のあるものにしてもよい。
【符号の説明】
【００１８】１    まな板
２    板面
３    浮かせ手段
４    滑り止め手段
５    開口部
６    調理台
【図１】
2019155038.tif 000003
【図２】
2019155038.tif 000004
【図３】
2019155038.tif 000005
【図４】
2019155038.tif 000006
【図５】
2019155038.tif 000007
【図６】
2019155038.tif 000008
【図７】
2019155038.tif 000009
【図８】
2019155038.tif 000010
【図９】
2019155038.tif 000011
【図１０】
2019155038.tif 000012
【図１１】
2019155038.tif 000013
【図１２】
2019155038.tif 000014
【図１３】
2019155038.tif 000015
【図１４】
2019155038.tif 000016
(57)【要約】【課題】従来の傘では、車に乗り降りする際、雨に濡れやすく、また雨に濡れた面が表面に出ていて、車内等で体に接触し濡れやすかった。また、閉じて下向きにすると、雨のしずくが下に落ち、床等を濡らした。【解決手段】雨に濡れた面が内側に折れるという、折りたたみ傘の構造をそのまま生かしそれを筒の中に入れることにより、かさばらず、コンパクトで軽い傘にする。また柄を押し出せば自動的に傘が開くようにすることにより、扱いやすい傘にする。雨に濡れた面が内側に折れ、また、筒に入れることから、閉じて下向きにしても雨のしずくが下に落ちない。【選択図】図１
2019155044.tif 000002
【特許請求の範囲】
【請求項１】
筒の中に折りたたみ傘を仕込むことを特徴とする傘。
【請求項２】
筒から出たときに自動的に開くことを特徴とした請求項１記載の傘。
【発明の詳細な説明】
【技術分野】
【０００１】  この発明は、雨天時、車の乗り降りの際の傘の開閉時に、雨に濡れにくい、あるいは、店舗に入る際にビニール袋などに入れなくてもよい傘に関するものである。
【背景技術】
【０００２】  従来の傘では、車に乗り降りする際、雨に濡れやすく、また雨に濡れた面が表面に出ていて、車内等で体に接触し濡れやすかった。また、閉じて下向きにすると、雨のしずくが下に落ち、床等を濡らした。
【先行技術文献】
【特許文献】
【０００３】
【特許文献１】実登３２１１１４７号公報
【発明の概要】
【発明が解決しようとする課題】
【０００４】  しかしながら、以上の技術によれば、車に乗り降りする際、雨に濡れ、また、傘に着いた雨水で体が濡れやすいので、雨に濡れた面が隠れるような構造にしたい。
そこでこの発明は、車に乗り降りする際、雨に濡れず、小型で軽く、扱いやすい傘を提供することを課題とする。
【課題を解決するための手段】
【０００５】  以上の課題を解決するために、第一発明は、従来の折りたたみ傘の構造をそのまま生かし、それを筒の中に入れることにより、かさばらず、コンパクトで軽い傘にする。
また第二発明は、柄を押し上げれば自動的に傘が開くようにすることにより、扱いやすい傘にする。
【発明の効果】
【０００６】  折りたたみ傘はもともと雨に濡れた面が内側に折れ、最終的には半分の長さに収縮するので、その特性は維持し、新たに筒の中に入れることにより、かさばらず、コンパクトになり携帯が楽になる。そして、柄を押し上げれば自動的に開くなど操作が簡単で、とても扱いやすい。また、車の乗り降り時、雨に濡れた面が内側に折れるため雨に濡れにくく、体等に接触せず、濡れなくて済むことを特徴とする。
店舗等に入る際も、閉じれば水滴が滴り落ちることがなく、ビニール袋等に入れる必要がない。エコ的にも優れている傘である。
【図面の簡単な説明】
【０００７】
【図１】この発明の一実施形態を示す図である。
【図２】この発明の一実施形態を示す図である。
【図３】この発明の一実施形態を示す図である。
【発明を実施するための形態】
【０００８】  この発明の一実施形態を、図１に示す。筒本体１はプラスチック（あるいはスチール）製であり、２はそのフタである。３は傘の本体で、４はストッパーで、傘を開いたときに使う。６はコイルである。図２は傘の柄の先端５を下に引っ張った時のもので、傘が自動的に内側に２つ折りに収納される。図３は傘をすべて筒の中に収納した図であり、いったん伸ばした傘の柄を、折りたたみ傘の機能を使って再び中に押し込めたものである。最終的に２のフタをすれば一つの筒になり、持ち運びが非常に便利になる。７はいきなり傘が飛び出すことを防ぐストッパーである。
【０００９】「実施形態の効果」
この実施形態によれば、図３の完全な筒の状態から、まず傘の柄の先端である５を下に引っ張り、７のストッパーを外し、２のフタを外してから５を筒に向かって押し上げると、筒の間口の広い方から傘本体が飛び出し、６のコイルの作用で傘が半開きの状態になる。ストッパー４に引っかかるまで手で傘を押し上げロックさせると図１になる。
傘を収納するときは、まずストッパー４を外すと、６のコイルの作用で傘が自動的に内側へ２つ折りの状態になろうとする。次に、片手で筒本体１を掴みながらもう片方の手で傘の柄の先端５を下へ引っ張ると、自動的に傘本体３は筒の中に収納される。
この収納方法によれば、雨天時の車の乗り降りの際の傘の開閉が非常に楽となる。最後は７のストッパーに引っかかるまで柄の先端５を引っ張り下げ、引っかかったら、今度は上へ押し上げれば、最終的にフタ２をして図３となる。このように筒の中に収納してしまうため、店舗等に入る時、雨水が下に滴り落ちることがなく、床を濡らすことがないため、入り口でビニール袋に入れる必要がなくなる。
【符号の説明】
【００１０】１  筒本体  ２  筒のフタ  ３  傘本体  ４  ストッパー  ５  傘の柄の先端
６  コイル  ７  ストッパー
【図１】
2019155044.tif 000003
【図２】
2019155044.tif 000004
【図３】
2019155044.tif 000005
(57)【要約】【課題】本発明は、刃体、刃台、ホルダ−部よりなる安全かみそりに関する。従来のT型の安全カミソリに比較して、微妙な操作が可能なものを得ることを目的とする。【解決手段】刃体を保持する刃台の裏面にフレキシブルな構造のホルダー部がつけられており、ホルダー部の孔に指を入れて使用する。指は指先の腹の部分が刃台の後側にあたるように装着する。指は、人差し指、中指、薬指を1〜3本用いる。ホルダー部は例えば指サックでも良く、特別な形状のプラスチック製品でもよい。【選択図】  図１
2019155028.tif 000002
【特許請求の範囲】
【請求項１】
刃体とそれを支持する刃台、およびホルダー部よりなる安全かみそり。
【請求項２】
前記ホルダー部は、フレキシブルな構造である請求項１に記載の安全かみそり。
【請求項３】
前記刃体と刃台の幅が、3ｃｍ以下である請求項１または２に記載の安全かみそり。
【請求項４】
前記ホルダー部は、手の指を入れる孔を有している請求項１から３のいずれかに記載の安全かみそり。
【請求項５】
前記手の指は、人差し指、中指、薬指である請求項４に記載の安全かみそり。
【発明の詳細な説明】
【技術分野】
【０００１】
本発明は、安全かみそりの改良に関する。
【背景技術】
【０００２】
現在、多用されている安全カミソリは、刃台部とホルダー部よりなるＴ字型である。（実開平７−２０１７２号公報）この安全カミソリは通常、Ｔ字型のホルダーの部分を親指と人差し指や中指等で挟んで保持して使用する。このため、この形状の場合は、微妙な制御が困難な場合があり、特に、高齢の方や身体の機能が損なわれている方々においては、大きな問題である。
【先行技術文献】
【特許文献】
【０００３】
【特許文献１】実開平７−２０１７２号公報
【発明の概要】
【発明が解決しようとする課題】
【０００４】
現在のＴ型安全カミソリは、その形状より、微妙な制御ができなくなった方には使用しにくい。また、親指を失われた方では使用できない。本発明品は、親指の機能が劣えた方や、人差し指、中指、薬指の一本（のみ）が使用できる方が使用できるようにと開発したものである。
【課題を解決するための手段】
【０００５】
上記課題を解決する本発明は、
刃体とそれを支持する刃台、およびホルダー部よりなる安全かみそりである。
また、前記ホルダー部は、フレキシブルな構造である安全かみそりである。
また、前記刃体とそれを支持する前記刃台の幅が、3ｃｍ以下である安全かみそりである。
また、前記ホルダー部は、手の指を入れる孔を有している安全かみそりである。
また、前記手の指は、人差し指、中指、薬指である安全かみそりである。
【発明の効果】
【０００６】
本発明の安全カミソリは、微妙な制御が可能になる。また、親指の機能が劣えた方や、人差し指、中指、薬指の一本（のみ）が使用できる方でも使用できる。
【図面の簡単な説明】
【０００７】
【図１】本発明の安全カミソリの実施例(ゴムサックの例）
【図２】本発明の他の実施例（ゴムサックの例）複数の指を用いる例）
【図３】本発明の他の実施例（プラスチック製）
【発明を実施するための形態】
【０００８】
図１に本発明の安全カミソリ１を右手人差し指１０に装着した状態を示す。手のひら側から見た状態である。刃体２、刃台３、ホルダー部（指サック）４よりなる。この図の安全かみそり１は刃体２、刃台３の幅は４ｃｍであるが、３ｃｍ以下にしても良いことはもちろんである。なお、この図においては、ホルダー部４は指サックであり、人差し指１０にのみで保持している。ゴム製の指サック４は、容易に指を曲げることができ、微妙な操作ができる。
【０００９】
図２は、3本の指で保持した状態である。右手人差指１０、右手中指１１、右手薬指１２で保持している。この図におけるように右手中指１１にのみに保持部材４をつけ、他の右手人差指１０、右手薬指１２が添えるだけにして使用することも現実的である。もちろん、2本、3本の指に保持部材４をつける場合の本発明の権利範囲である。左ききの人は左手に装着しても良いことはもちろんである。
【００１０】
図３は、ユビサック以外のホルダー部の例を示した。この例がプラスチック製ホルダー部５である。輪５１および輪Ｂ５２の2つのと、縦軸５３よりなり、縦軸の端部に刃台３がつけられている。輪Ａ５１は第一関節の位置に、輪Ｂ５２は、第二関節の位置にくるように装着する。矢印は指の挿入方向である。指先の腹の部分を刃台３の後ろ側にあてて使用する。縦軸５３は、フレキシブルな素材でつくられており、指を自由に曲げることができる。
【００１１】
刃台３の幅は現在４ｃｍ程度である。しかし、この幅は必ずしも必要とは言えず、３ｃｍ以下にしても実質的に問題はない。むしろ、操作が容易になり好ましいこともある。これはＴ型の安全カミソリにおいても同様である。
【産業上の利用可能性】
【００１２】
本発明はあらたな安全かみそりの市場を提供する。
【符号の説明】
【００１３】
１本発明の安全カミソリ
２刃
3刃台
４ホルダー部（ゴムサック）
５ホルダー部（プラスチック）
５１輪Ａ
５２輪Ｂ
５３軸
１０人差し指
１１中指
１２薬指
【図１】
2019155028.tif 000003
【図２】
2019155028.tif 000004
【図３】
2019155028.tif 000005
【手続補正書】
【提出日】令和1年5月31日(2019.5.31)
【手続補正１】
【補正対象書類名】特許請求の範囲
【補正対象項目名】全文
【補正方法】変更
【補正の内容】
【特許請求の範囲】
【請求項１】
刃体とそれを支持する刃台、およびホルダー部よりなる安全カミソリであって、前記ホルダー部は、手の指をいれる孔を２個、または３個の備えているフレキシブルな構造物である安全カミソリ。
【請求項２】
前記手の指をいれる孔は、人差し指と中指、または、人差し指と中指と薬指を入れるものである請求項１に記載の安全カミソリ。
【請求項３】
前記フレキシブルな構造物は、指サックである請求項１、または、請求項２に記載の安全カミソリ。
(57)【要約】【課題】  アルミニウム合金の溶湯を採取するラドルにコーティング剤を塗る際、塗り忘れ部が生じやすいという不具合を解決する。また、ラドルが高温であるか否かがわからないという不具合を解決する。【解決手段】  コーティング剤を構成する成分に、２乃至２０％の酸化鉄（Ｆｅ２Ｏ３）と、２０乃至６０％の酸化チタン（ＴｉＯ２）、および残部を酸化アルミニウム（Ａｌ２Ｏ３）と不可避的不純物、および無機粘結剤を配合することにより解決する。【選択図】なし【特許請求の範囲】
【請求項１】
２乃至２０％の酸化鉄（Ｆｅ２Ｏ３）と、２０乃至６０％の酸化チタン（ＴｉＯ２）、および残部を酸化アルミニウム（Ａｌ２Ｏ３）と不可避的不純物、および無機粘結剤を配合することを主要な特徴とするアルミニウム合金の溶湯を採取するラドルのコーティング剤。
【発明の詳細な説明】
【技術分野】
【０００１】  本発明は、アルミニウム合金の溶湯を採取する際に使用するラドルのコーティング剤に関するものである。
【背景技術】
【０００２】  アルミニウム合金の溶湯を溶製する際に、化学成分を分析する必要がある。
そのために、ラドルを使用して溶湯の一部を試料として取り出す操作が行われる。あるいは、ラドルを使用して溶湯を鋳型に鋳造している。【０００３】  これらの際、アルミニウム合金の溶湯が７５０℃程度の高温であることから、ラドルの鉄が溶けて、試料に混入する恐れがある。すると、正確な化学成分が分析されなくなる。あるいは、鋳造製品中の鉄の含有量が増加する。すると、機械的性質が変化する。【０００４】  これらを防止するために、ラドルにコーティング剤が塗られている。【０００５】  従来から、コーティング剤の成分として、主成分である酸化物に加えて、特許文献１に開示されているように炭素が使用されている。炭素は耐熱性に優れるためである。
【先行技術文献】
【０００６】
【特許文献１】特許出願公開２００１−３４７３４０号
【発明の概要】
【発明が解決しようとする課題】
【０００７】  解決しようとする問題点は、ラドルにコーティング剤を塗る際、特許文献１に示されるように黒色のコーティング剤では、塗り忘れ部が識別しにくいことである。そこで、塗り忘れ部が容易に識別しやすいコーティング剤を提供することを課題とする。【０００８】  また、使用したラドルを続けて使用する際、その温度が高い状態にあるか否かを識別しにくいことである。そこで、温度が高い状態にあることを、容易に識別しやすいコーティング剤を提供することを課題とする。
【課題を解決するための手段】
【０００９】  本発明は、コーティング剤を構成する成分に、２乃至２０％の酸化鉄（Ｆｅ２Ｏ３）と、２０乃至６０％の酸化チタン（ＴｉＯ２）、および残部を酸化アルミニウム（Ａｌ２Ｏ３）と不可避的不純物、および無機粘結剤を配合することを主要な特徴とする。
【発明の効果】
【００１０】  本発明によるコーティング剤は赤色を呈する酸化鉄（Ｆｅ２Ｏ３）が配合されることから、塗り忘れ部を容易に識別できるという利点がある。【００１１】  また、本発明によるコーティング剤は高い温度の場合に黄色を呈する酸化チタン（ＴｉＯ２）が配合されることから、使用時の温度を容易に識別できるという利点がある。
【図面の簡単な説明】
【００１２】
【図１】  コーティング剤の塗布の態様を示した図である。
【発明を実施するための形態】
【００１３】  ラドルへのコーティング剤の塗り忘れを、赤色を呈する酸化鉄（Ｆｅ２Ｏ３）の配合により実現した。また、ラドルが高い温度の場合の識別を、高い温度の場合に黄色を呈する酸化チタン（ＴｉＯ２）の配合により実現した。
【実施例１】
【００１４】  図１は本発明のコーティング剤の塗布の態様を示している。図中の２はコーティング剤が塗布された場所（赤色）を示している。しかしながら、３はコーティング剤が未塗布の場所（黒色）を示している。【００１５】  このように、コーティング剤が未塗布の場所を容易に判別できるという利点がある。
【産業上の利用可能性】
【００１６】  本発明に係るコーティング剤は、塗り忘れ場所を容易に識別することができる。また、ラドルが高い温度の場合を容易に識別することができる。このため、産業上の利用の可能性を有する。
【符号の説明】
【００１７】１  ラドル
２  コーティング剤の塗布場所
３  コーティング剤の未塗布場所
【図１】
2019155468.tif 000002
(57)【要約】      （修正有）【課題】キャップボルトは、締め付けや取り外す際に、その六角ホールの大きさに合ったヘキサゴンレンチを選択する必要があった。そのため作業効率が悪い。さらに六角レンチが回しづらいためかなりの時間を浪費する。以上のような欠点をなくすために、十字ドライバー溝を設けたキャップボルトを提供する。【解決手段】キャップボルト１の六角ホール２の奥に十字ドライバー溝３を設ける。また径の小さいキャップボルト４の場合はボルトの淵に十字ドライバー溝６を設ける。【選択図】図１
2019148331.tif 000002
【特許請求の範囲】
【請求項１】
キャップボルト（１）の六角ホール（２）に十字ドライバー溝（３）を設け、プラスドライバー（７）で回すことが出来る、キャップボルトである。
【発明の詳細な説明】
【技術分野】
【０００１】  この発明は、様々な大きさのキャップボルトを、プラスドライバーで回すことが出来る物である。
【背景技術】
【０００２】  従来は様々な大きさのキャップボルトは、ヘキサゴンレンチを選択して使う事が必要であった。
【先行技術文献】
【特許文献】
【０００３】
【発明の概要】
【発明が解決しようとする課題】
【０００４】  これは、次のような欠点があった。
普通キャップボルトは、締め付けや取り外す際にその六角ホールのサイズに合ったヘキサゴンレンチを使う必要があった。
そのため作業効率がとても悪い。さらにヘキサゴンレンチは回しづらいためかなりの時間を浪費する。
本発明は、以上のような欠点をなくすためになされたものである。
【課題を解決するための手段】
【０００５】  本発明は上記目的を達成するために、キャップボルト（１）の六角ホール（２）の奥に、プラスドライバー（７）でも回すことが出来る十字ドライバー溝（３）を設ける。
小さいネジの場合は、キャップボルト（４）の淵の部分に十字ドライバー溝（６）を設ける。
本発明は以上の構成よりなる、仮締め取り外し等を容易に出来るよう工夫したキャップボルトである。
【発明の効果】
【０００６】  六角ホールの中に十字ドライバー溝が切ってあるため、従来のヘキサゴンレンチに加えプラスドライバーでも使用可能。
プラスドライバーでは、ほとんどのサイズのキャップボルトを、締め付け、取り外しをすることが出来る。
この時は、同じドライバーを使えるため作業効率が格段にアップする。六角レンチは回しづらいため、プラスドライバーで効率良く回し、締めることが出来る。
本締めする時だけ六角レンチを使ってやればよい。
時間のかかる仮締めは、サイズに関係なくほとんどのキャップボルトに対応でき、プラスドライバー１本で出来てしまう。
もちろん従来の使い方でも全く問題ない。
【図面の簡単な説明】
【０００８】
【図１】  本発明の平面図である。
【図２】  本発明の見取図である。
【図３】  本発明の見取図である。
【図４】  本発明の見取図である。
【発明を実施するための形態】
【０００９】  以下、本発明を実施するための形態について説明する。
キャップボルト（１）の六角ホール（２）の奥に十字ドライバー溝（３）を設ける。
また小さいキャップボルト（４）の場合はボルトの淵に十字ドライバー溝（６）を設け、ドライバー（７）が六角ホール（５）に入らない場合もしっかりプラスドライバー（７）で回すことが出来る。
本発明は、以上のような構造である。
【符号の説明】
【００１０】    １  キャップボルト
２  六角ホール
３  十字ドライバー溝
４  キャップボルト（小）
５  六角ホール
６  十字ドライバー溝
７  プラスドライバー
８  ヘキサゴンレンチ
【図１】
2019148331.tif 000003
【図２】
2019148331.tif 000004
【図３】
2019148331.tif 000005
【図４】
2019148331.tif 000006
(57)【要約】【課題】  換気口内部の構造を改良し、通気用経路による外気の取り込みはあっても、雨水滴の室内部への侵入を安全に防止するようにすることができる機構を提供することを目的とする。【解決手段】  内開口部３を有する内部筒１の外開口部４に外部筒５を連設し、前記内部筒の外開口部に形成した開鍔部６に外環材７を連設し、この外環材の開口外周には大開鍔部８を形成し、前記外環材の外方に前記外部筒の半分位を被套するように外部フード材を連結し、このように成る器材を建造物外壁ａの配管ダクトｂに設置して成る建造物用換気口。【選択図】    図２
2019148372.tif 000002
【特許請求の範囲】
【請求項１】
内開口部を有する内部筒の外開口部に外部筒を連設し、前記内部筒の外開口部に形成した開鍔部に外環材を連設し、この外環材の開口外周には大開鍔部を形成し、前記外環材の外方に前記外部筒の半分位を被套するように外部フード材を連結し、このように成る器材を建造物外壁の配管ダクトに設置して成ることを特徴とする建造物用換気口。
【発明の詳細な説明】
【技術分野】
【０００１】
本発明は、高層建造物における換気口に関するものであり、特に外壁を貫通する通気路に被套する部材の構造によって、雨水を含む外気が侵入することを防止することを目的とする換気口に関するものである。
【背景技術】
【０００２】
本発明に係る出願人は、かつて次の特許文献１乃至３に認められる特許発明に係る建造物用換気口を開発していたが、暴風雨による外壁換気口から建造物内部への侵入の防止はきわめて困難であり、フード部分を深く被せることによって雨水の侵入を防止していたけれども、暴風雨による下方向からの吹き上げには対抗することができないことが判明したのである。
【０００３】
また、流入口又は内部流路をＳ字状にして雨水の流入を防止する例としては特許文献４があり、構成は異なるが空気の流路を屈曲させて雨水の侵入を防止せんとする例としては特許文献５がある。
【先行技術文献】
【特許文献】
【０００４】
【特許文献１】特許第３７３３２６９号公報
【特許文献２】特許第４０１７５０５号公報
【特許文献３】特許第４６２５３０１号公報
【特許文献４】特許第２９３０２３３号公報
【特許文献５】特許第５０３０３２７号公報
【発明の概要】
【発明が解決しようとする課題】
【０００５】
そこで、本発明は、換気口内部の構造を改良し、通気用経路による外気の取り込みはあっても、雨水滴の室内部への侵入を安全に防止するようにすることができる機構を提供することを目的とするものである。
【課題を解決するための手段】
【０００６】
本発明は、内開口部を有する内部筒の外開口部に外部筒を連設し、前記内部筒の外開口部に形成した開鍔部に外環材を連設し、この外環材の開口外周には大開鍔部を形成し、前記外環材の外方に前記外部筒の半分位を被套するように外部フード材を連結し、このように成る器材を建造物外壁の配管ダクトに設置して成るものである。
【発明の効果】
【０００７】
高層建造物においてこのような建築構造を採用することにより、暴風雨の天候であっても、風雨中の雨水の侵入は複数段階のＳ字状になる迂回進路によってすべて弾き飛ばされて阻止されるようになり、最終的には雨水を混入しない外気のみを室内に導入することができるようになり、高層建造物にあっても、比較的簡易な構成によって、雨水を分離した清涼な外気の導入を安全にコントロールすることができるのである。
【図面の簡単な説明】
【０００８】
【図１】図３Ａ−Ａ線断面図
【図２】外壁換気口への図１部材の断面図
【図３】取付部材全体の正面図
【図４】取付部材全体の正斜視図
【図５】取付部材全体の背斜視図
【発明を実施するための形態】
【０００９】
このようなダクト外壁における本器材の設置により、風雨の侵入時には、雨水はまず外環材の大開鍔部によって弾かれ、次に外部フード材の開鍔部によって弾かれ、さらに外部筒の開鍔部によっても弾かれて、それ以上の侵入を阻止されてようになり、清涼な風のみが外環材と外部フード材と外部筒に導入され、内部筒の内開口部からダクト内に導入されるようになるのである。
【００１０】
このようなＳ字状の迂回侵入の進路については、図２における矢印方向を参照されたい。
【実施例】
【００１１】
ａは外壁，ｂは外壁ａの適所に設けた配管ダクトである。
【００１２】
１は前記配管ダクトｂに設置する本器具の内部筒で、この内部筒の外周囲には適当数の弾片２・・を設けて配管ダクトｂとの取付材とする。
【００１３】
３は前記内部筒１の内開口部で、この内開口部を介して外開口部４から導入した外気を室内に送風する。
【００１４】
５は前記配管ダクトｂに設置する本器具の内部筒１の外開口部４に一体に連設した外部筒で、この外部筒の開口部周囲には開鍔部６を形成する。
【００１５】
７は前記外部筒５が設置する外壁ａの外壁面に取付ける外環材で、この外環材の開口外周には大開鍔部８を形成する。この大開鍔部の開口部９には外気が流入し、前記大開鍔部８の外側部には雨水が跳ね返るようになる。
【００１６】
１０は前記外部筒５と前記外環材７との中間位置に外部筒５を被套するように外壁ａから外方に突設する外部フード材で、この外部フード材の開口外周には開鍔部１１を形成し、外気は流入するが、雨水は弾き飛ばすようにする。
【００１７】
１２・・は一端部を前記外環材７の基端部周囲に設けた外部筒５の周囲に突設した３本の螺旋管で、この螺旋管の他端部には前記外部フード材１０に設けた３個の通孔１３・・があり、螺旋管の両端部にはそれぞれの部材を連結するための螺子１４・・１５・・を螺合している。
【００１８】
前記外部フード材１０は各螺旋管１２・・の両端部への螺子１４・・１５・・の螺着により全体を連結するようになる。
【符号の説明】
【００１９】
１                    内部筒
２                    弾片
３                    内開口部
４                    外開口部
５                    外部筒
６                    開鍔部
７                    外環材
８                    大開鍔部
９                    開口部
１０                  外部フード材
１１                  開鍔部
１２・・              螺旋管
１３・・              通孔
１４・・              螺子
１５・・              螺子
ａ                    外壁
ｂ                    配管ダクト
【図１】
2019148372.tif 000003
【図２】
2019148372.tif 000004
【図３】
2019148372.tif 000005
【図４】
2019148372.tif 000006
【図５】
2019148372.tif 000007
(57)【要約】      （修正有）【課題】弦楽器に使用する弦のねじれを矯正し、良好な弦振動を可能とする弦ねじれ矯正機を提供する。【解決手段】弦ねじれ矯正機１は、吊り下げ部２と、該吊り下げ部２の下端に弦６を保持する保持部３を有する。保持部３に弦６を通す孔４を設け、保持部３の上方に蓋５を設け、弦６を内包する下端が閉じた容器８を該蓋５に該容器８の上端で着脱可能とする。【選択図】図３
2019020620.tif 000002
【特許請求の範囲】
【請求項１】
吊り下げ部２と、該吊り下げ部２の下端に弦６を保持する保持部３があって、該保持部３に該弦６を通す孔４を設け、該保持部３の上方に蓋５を設け、該弦６を内包する下端が閉じた容器８を該蓋５に該容器８の上端で着脱可能としたことを特徴とする弦ねじれ矯正機。  
【発明の詳細な説明】
【技術分野】
【０００１】
本発明は、ギター等、弦楽器に使用する弦のねじれを矯正し、良好な弦振動を可能にする弦ねじれ矯正機に関する。  
【背景技術】
【０００２】
ギター等弦楽器に使用する弦は、ほとんどの商品が円状に巻かれた状態で販売されており、使用する際、ねじれが生じていることが多い。ねじれた弦は良好な弦振動の妨げとなるため、リペアマンや技術者が弦楽器の弦を交換する際は、事前に弦をまっすぐに伸ばした状態で円筒状の容器に保管し、弦のねじれを解消させておく方法が採用されている。
【発明の概要】
【発明が解決しようとする課題】
【０００３】
弦楽器の弦交換を行う際、弦のねじれを矯正しないまま張弦することが多い。これは、チューニングを不安定にさせることに加えて、弦の良好な振動を妨げる結果となる。弦のねじれを矯正する方法として、事前に弦をまっすぐに伸ばした状態で円筒状の容器に保管しておく方法がある。しかしながら、容器を垂直に立てかけて保管した場合、弦は自重によってたわんでしまう。また容器を水平に設置した場合、弦には容器の内側から負荷が生じる。即ち、容器を垂直、水平どちらの方向に設置しても弦のねじれを解消する妨げとなっていた。本発明は、以上のような問題を解決するためになされたものである。
【課題を解決するための手段】
【０００４】
吊り下げ部２と、該吊り下げ部２の下端に弦６を保持する保持部３があって、該保持部３に該弦６を通す孔４を設け、該保持部３の上方に蓋５を設け、該弦６を内包する下端が閉じた容器８を該蓋５に該容器８の上端で着脱可能としたことを特徴とする弦ねじれ矯正機を使用することで前記問題を解決する。
【発明の効果】
【０００５】
弦６の一端を保持部３で保持し、弦６が垂直下方向にぶら下がるよう吊り下げ部２を任意の場所に設置する。これにより、弦６は自重により、垂直下方向に引っ張られ、ねじれが解消される。保持部３の上方に蓋５を設け、弦６を内包する下端が閉じた容器８を着脱可能としたことで、弦６の劣化原因となる、光と外気による影響を防ぐ機能を有している。結果、本発明によれば、張弦前の弦６の劣化を防止しつつ、ねじれを矯正し、良好な弦振動を得ることが可能となる。
【図面の簡単な説明】
【０００６】
【図１】実施形態に係る弦ねじれ矯正機の使用状態の概略正面図
【図２】本発明の斜視図
【図３】容器が蓋に接続されている状態を説明する図
【発明を実施するための形態】
【０００７】
以下、本発明の好ましい実施の形態について図面を参照しながら説明する。また、本明細書において、図３に示される弦ねじれ矯正機１より上を上、弦ねじれ矯正機１より下を下という。
【０００８】
図1には実施形態に係る弦ねじれ矯正機の使用状態の概略図が示されている。まず弦６を保持部３の孔４に通す。孔４の直径はボールエンド７の直径より小さく設計されているため、弦６はボールエンド７で保持部３に保持される。
【０００９】
弦６が保持部３で垂直下方向にぶら下がるよう、吊り下げ部２を任意の場所に設置する。これにより、外から負荷を受けることなく、弦６は自重のみでねじれを解消させることが可能となる。
【００１０】
図３に示されるように、蓋５は、弦６を内包する容器８に着脱可能に設計されている。容器８は弦６の劣化原因となる光と外気による影響を防ぐ役割を有している。
【００１１】
弦６を一定の期間、本発明機で吊り下げ、事前にねじれを矯正し、弦交換の際に取り外して使用する。
【産業上の利用可能性】
【００１２】
本発明は、ギター等の弦楽器の弦を交換するときに利用される。
【符号の説明】
【００１３】
1：弦ねじれ矯正機
2：吊り下げ部
3：保持部
4：孔
5：蓋
6：弦
7：ボールエンド
8：容器
【図１】
2019020620.tif 000003
【図２】
2019020620.tif 000004
【図３】
2019020620.tif 000005